(57)【要約】  【課題】電話機間で互いの機能を相互に利用可能とするための技術を提供する。  【解決手段】携帯電話機２およびボタン電話機３は、互いに、他方から機能一覧問合せがあればそれに対しては自身が提供可能な機能一覧を通知し、他方から機能の提供可否問合せがあればそれに対してはこの機能の提供可否を通知する。そして、他方から機能要求があればそれに応じて自身の機能を提供する。また、携帯電話機２およびボタン電話機３は、それぞれ必要に応じて、他方に機能一覧問合せを通知して、他方が提供可能な機能一覧を取得するか、他方に機能の提供可否問合せを通知して機能の提供可否を受け取る。そして、他方に機能を要求して、他方の機能の提供を受ける。【選択図】図１
2017152874.tif 000002
【特許請求の範囲】
【請求項１】
複数の機能を有する電話機であって、
前記複数の機能のうち、提供可能な機能を記憶する記憶手段と、
他の電話機と接続するための接続手段と
前記接続手段を介して前記他の電話機から機能一覧の問合せを受け付けた場合に、前記記憶手段に記憶されている機能の一覧を通知する通知手段と、
前記接続手段を介して前記他の電話機から、機能の指定を含む機能要求を受け付けた場合に、当該機能要求で指定されている機能が前記記憶手段に記憶されているならば、当該機能を前記他の電話機に提供する機能提供手段と、
操作者の指示に従い、前記接続手段を介して前記他の電話機に機能一覧の問合せを通知して、前記他の電話機から当該他の電話機が提供可能な機能の一覧を取得する機能一覧取得手段と、
前記機能一覧取得手段により取得された機能の一覧のなかから操作者により選択された機能の機能要求を、前記接続手段を介して前記他の電話機に通知して、当該他の電話機から機能の提供を受ける機能要求手段と、を有する
ことを特徴とする電話機。
【請求項２】
請求項１に記載の電話機であって、
前記機能一覧取得手段により取得された機能の一覧に示された各機能を、自電話機が備える各機能ボタンにそれぞれ割り付ける機能割付手段をさらに有し、
前記機能要求手段は、操作者により選択された前記機能ボタンに割り当てられた機能の機能要求を前記他の電話機に通知する
ことを特徴とする電話機。
【請求項３】
複数の機能を有する電話機であって、
前記複数の機能のうち、提供可能な機能を記憶する記憶手段と、
他の電話機と接続するための接続手段と
前記接続手段を介して前記他の電話機から、機能の指定を含む提供可否の問合せを受け付けた場合に、当該問合せで指定された機能が前記記憶手段に記憶されているか否かに基づいて、当該問合せで指定された機能の提供可否を通知する通知手段と、
前記接続手段を介して前記他の電話機から、機能の指定を含む機能要求を受け付けた場合に、当該機能要求で指定されている機能が前記記憶手段に記憶されているならば、当該機能を前記他の電話機に提供する機能提供手段と、
自電話機が有する機能以外の機能に対応する所定のイベントが発生した場合に、前記接続手段を介して前記他の電話機に、当該イベントに対応する機能の指定を含む提供可否の問合せを通知して、前記他の電話機から、当該イベントに対応する機能の提供可否を取得する提供可否取得手段と、
前記提供可否取得手段により取得された提供可否が提供可能を示している場合に、提供可能とされた機能の機能要求を、前記接続手段を介して前記他の電話機に通知して、当該他の電話機から前記機能の提供を受ける機能要求手段と、を有する
ことを特徴とする電話機。
【請求項４】
請求項３に記載の電話機であって、
前記提供可否取得手段は、
前記提供可否の問合せを通知した他の電話機から取得した前記提供可否が提供不可能を示している場合、前記接続手段に接続する他の電話機を新たな他の電話機に切り替えて、当該新たな他の電話機に前記提供可否の問合せを通知し、当該新たな他の電話機から前記提供可否を取得する
ことを特徴とする電話機。
【請求項５】
電話機間で互いの機能を相互に利用する電話機間の機能相互利用方法であって、
一方の電話機は、
他方の電話機から機能一覧の問合せを受け付けた場合に、自電話機が提供可能な機能の一覧を通知し、
前記他方の電話機から、機能の指定を含む機能要求を受け付けた場合に、当該機能要求で指定されている機能が前記提供可能な機能の一覧に含まれているならば、当該機能を前記他の電話機に提供し、
前記他方の電話機は、
操作者の指示に従い、前記一方の電話機に機能一覧を問合せを通知して、当該一方の電話機から前記提供可能な機能の一覧を取得し、
前記一方の電話機から取得した前記提供可能な一覧のなかから操作者により選択された機能の機能要求を前記一方の電話機に通知して、当該一方の電話機から機能の提供を受ける
ことを特徴とする電話機間の機能相互利用方法。
【請求項６】
電話機間で互いの機能を相互に利用する電話機間の機能相互利用方法であって、
一方の電話機は、
他方の電話機から、機能の指定を含む提供可否の問合せを受け付けた場合に、当該問合せで指定された機能の提供可否を通知し、
前記他の電話機から、機能の指定を含む機能要求を受け付けた場合に、当該機能要求で指定されている機能が提供可能ならば、当該機能を前記他方の電話機に提供し、
前記他方の電話機は、
自電話機が有する機能以外の機能に対応する所定のイベントが発生した場合に、前記一方の電話機に、当該イベントに対応する機能の指定を含む提供可否の問合せを通知して、当該一方の電話機から、当該イベントに対応とする機能の提供可否を取得し、
取得した提供可否が提供可能を示している場合に、提供可能とされた機能の機能要求を前記一方の電話機に通知して、当該一方の電話機から機能の提供を受ける
ことを特徴とする電話機間の機能相互利用方法。
【発明の詳細な説明】
【技術分野】
【０００１】
本発明は、電話機間で互いの機能を相互に利用するための技術に関する。
【背景技術】
【０００２】
特許文献１には、複雑な操作を行うことなく無線電話回線以外の無線回線を介して通信を行うことができる無線通信システムが開示されている。この無線通信システムにおいて、携帯電話機は、無線ＬＡＮ回線を介して固定電話機と接続可能な否かについて予め判定している。また、固定電話機は、無線ＬＡＮ回線を介して接続された携帯電話機と公衆網との間を中継する機能を有する。そして、携帯電話機が他の携帯電話機に対して通信を行う場合、無線ＬＡＮ回線を介して他の携帯電話機と接続可能ならば、無線ＬＡＮ回線を介して他の携帯電話機と通信を行い、無線ＬＡＮ回線を介して他の携帯電話機と接続不可能ならば、無線ＬＡＮ回線経由で固定電話機に接続し、この固定電話機経由で他の携帯電話機と通信を行う。また、無線ＬＡＮ回線経由で固定電話機に接続不可能な場合は、無線電話回線を介して他の携帯電話機と通信を行う。
【先行技術文献】
【特許文献】
【０００３】
【特許文献１】特開２００７−１３６４８号公報
【発明の概要】
【発明が解決しようとする課題】
【０００４】
上述したように、特許文献１に記載の無線通信システムにおいて、固定電話機は、無線ＬＡＮ回線を介して接続された他の携帯電話機と公衆網との間を中継する機能を有しており、携帯電話機は、固定電話機のこの中継機能を利用することにより、無線電話回線を介さずに公衆網を利用することが可能となる。
【０００５】
しかし、固定電話機が携帯電話機に提供する機能はこの中継機能だけであり、固定電話機がその他の機能を携帯電話機に提供することはない。また、特許文献１に記載の無線通信システムは、固定電話機および携帯電話機間で互いの機能を相互利用することについて考慮されていない。
【０００６】
本発明は上記事情に鑑みてなされたものであり、本発明の目的は、電話機間で互いの機能を相互に利用するための技術を提供することにある。
【課題を解決するための手段】
【０００７】
上記課題を解決するために、本発明では、電話機に、他の電話機と互いの機能を相互に利用するためのインターフェースを設けた。そして、他の電話機から機能一覧の問合せを受けた場合、自電話機が提供可能な機能の一覧を通知するか、あるいは、他の電話機から機能の指定を含む提供可否の問合せを受けた場合、この提供可否の問合せで指定された機能の提供可否を通知するようにした。それから、他の電話機から機能要求を受け付けた場合、要求された機能を提供するようにした。また、他の電話機に機能一覧の問合せを通知して、他の電話機から機能の一覧を取得するか、あるいは、他の電話機に機能の指定を含む提供可否の問合せを通知して、この機能の提供可否を受け取るようにした。それから、他の電話機に、この他の電話機が提供可能な機能の機能要求を送信して、この他の電話機から機能の提供を受けるようにした。
【０００８】
例えば、本発明の第一の態様は、複数の機能を有する電話機であって、
前記複数の機能のうち、提供可能な機能を記憶する記憶手段と、
他の電話機と接続するための接続手段と
前記接続手段を介して前記他の電話機から機能一覧の問合せを受け付けた場合に、前記記憶手段に記憶されている機能の一覧を通知する通知手段と、
前記接続手段を介して前記他の電話機から、機能の指定を含む機能要求を受け付けた場合に、当該機能要求で指定されている機能が前記記憶手段に記憶されているならば、当該機能を前記他の電話機に提供する機能提供手段と、
操作者の指示に従い、前記接続手段を介して前記他の電話機に機能一覧の問合せを通知して、前記他の電話機から当該他の電話機が提供可能な機能の一覧を取得する機能一覧取得手段と、
前記機能一覧取得手段により取得された機能の一覧のなかから操作者により選択された機能の機能要求を、前記接続手段を介して前記他の電話機に通知して、当該他の電話機から機能の提供を受ける機能要求手段と、を有する。
【０００９】
あるいは、本発明の第二の態様は、複数の機能を有する電話機であって、
前記複数の機能のうち、提供可能な機能を記憶する記憶手段と、
他の電話機と接続するための接続手段と
前記接続手段を介して前記他の電話機から、機能の指定を含む提供可否の問合せを受け付けた場合に、当該問合せで指定された機能が前記記憶手段に記憶されているか否かに基づいて、当該問合せで指定された機能の提供可否を通知する通知手段と、
前記接続手段を介して前記他の電話機から、機能の指定を含む機能要求を受け付けた場合に、当該機能要求で指定されている機能が前記記憶手段に記憶されているならば、当該機能を前記他の電話機に提供する機能提供手段と、
自電話機が有する機能以外の機能に対応する所定のイベントが発生した場合に、前記接続手段を介して前記他の電話機に、当該イベントに対応する機能の指定を含む提供可否の問合せを通知して、前記他の電話機から、当該イベントに対応する機能の提供可否を取得する提供可否取得手段と、
前記提供可否取得手段により取得された提供可否が提供可能を示している場合に、提供可能とされた機能の機能要求を、前記接続手段を介して前記他の電話機に通知して、当該他の電話機から前記機能の提供を受ける機能要求手段と、を有する。
【発明の効果】
【００１０】
本発明に係る電話機は、他の電話機から機能一覧の問合せを受けた場合、自電話機が提供可能な機能の一覧を通知するか、あるいは、機能の指定を含む提供可否の問合せを他の電話機から受けた場合、この提供可否の問合せで指定された機能の提供可否を通知する。それから、他の電話機から機能の機能要求を受け付けて、要求された機能を提供する。また、他の電話機に機能一覧の問合せを通知して、他の電話機から機能の一覧を取得するか、あるいは、機能の指定を含む提供可否の問合せを他の電話機に通知して、この機能の提供可否を受け取る。それから、他の電話機に、この他の電話機が提供可能な機能の機能要求を送信して、この他の電話機から機能の提供を受ける。
【００１１】
したがって、本発明によれば、複数の電話機が互いの他の電話機の機能を相互に利用することができる。
【図面の簡単な説明】
【００１２】
【図１】図１は、本発明の一実施の形態に係る電話システムの概略構成図である。
【図２】図２は、本発明の一実施の形態に係る電話システムの第１の動作例を説明するためのシーケンス図である。
【図３】図３は、本発明の一実施の形態に係る電話システムの第２の動作例を説明するためのシーケンス図である。
【図４】図４は、本発明の一実施の形態に係る電話システムの第３の動作例を説明するためのシーケンス図である。
【図５】図５は、本発明の一実施の形態に係る電話システムの第４の動作例を説明するためのシーケンス図である。
【図６】図６は、本発明の一実施の形態に係る電話システムの第５の動作例を説明するためのシーケンス図である。
【図７】図７は、携帯電話機２の概略機能構成図である。
【図８】図８は、携帯電話機２の提供可能機能記憶部２４の登録内容を模式的に表した図である。
【図９】図９は、携帯電話機２がボタン電話機３から機能一覧を取得して機能の提供を受ける場合の動作フローを説明するための図である。
【図１０】図１０は、携帯電話機２がボタン電話機３から機能の提供可否を取得して機能の提供を受ける場合の動作フローを説明するための図である。
【図１１】図１１は、携帯電話機２がボタン電話機３に機能を提供する場合の動作フローを説明するための図である。
【図１２】図１２は、ボタン電話機３の概略機能構成図である。
【図１３】図１３は、ボタン電話機３の提供可能機能記憶部３４の登録内容を模式的に表した図である。
【図１４】図１４は、ボタン電話機３が携帯電話機２から機能一覧を取得して機能の提供を受ける場合の動作フローを説明するための図である。
【図１５】図１５は、ボタン電話機３が携帯電話機２から機能の提供可否を取得して機能の提供を受ける場合の動作フローを説明するための図である。
【図１６】図１６は、ボタン電話機３が携帯電話機２に機能を提供する場合の動作フローを説明するための図である。
【発明を実施するための形態】
【００１３】
以下に、本発明の一実施の形態について説明する。
【００１４】
図１は、本実施の形態に係る電話システムの概略構成図である。
【００１５】
図示するように、本実施の形態に係る電話システムは、固定電話網６に接続されたボタン電話システム１と、携帯電話網７に接続された携帯電話機２−１、２−２、・・・２−ｎ（以下、単に携帯電話機２とも呼ぶ）と、を備えている。ここで、固定電話網６および携帯電話網７は相互接続されており、ボタン電話システム１が固定電話網６経由で携帯電話網７に電話したり、あるいは携帯電話機２が携帯電話網７経由で固定電話網６に電話したりすることができる。
【００１６】
ボタン電話システム１は、ボタン電話機３−１、・・・３−ｍ（以下、単にボタン電話機３とも呼ぶ）と、固定電話網６に接続されるとともに内線ネットワーク５を介してボタン電話機３を収容する主装置４と、を備えている。
【００１７】
主装置４は、ボタン電話機３と連携して呼制御を実施することにより、ボタン電話機３と固定電話網６との間の通話路（外線）およびボタン電話機３とボタン電話機３との間の通話路（内線）の確立・解放を制御する。また、主装置４は、ボタン電話機３およびその通話相手に対して音声案内等の付加的な機能を提供する。
【００１８】
ボタン電話機３は、Ｂｌｕｅｔｏｏｔｈ（登録商標）等の近距離無線通信により、固定電話網６および携帯電話網７を介さないで携帯電話機２と直接接続可能であり（以下、ローカル接続と呼ぶ）、このローカル接続を介して携帯電話機２にボタン電話システム１の機能を提供したり、携帯電話機２から機能の提供を受けたりする。これにより、ボタン電話機３は、固定電話網６を経由することなく、例えば、ローカル接続された携帯電話機２経由で携帯電話網７と電話することができる。
【００１９】
同様に、携帯電話機２は、Ｂｌｕｅｔｏｏｔｈ（登録商標）等の近距離無線通信により、ボタン電話機３とローカル接続可能であり、このローカル接続を介してボタン電話機３に携帯電話機２の機能を提供したり、ボタン電話機３から機能の提供を受けたりする。これにより、携帯電話機２は、携帯電話網７を経由することなく、例えば、ローカル接続されたボタン電話機３経由で固定電話網６と電話することができる。
【００２０】
図２は、本実施の形態に係る電話システムの第１の動作例を説明するためのシーケンス図である。このシーケンスでは、ボタン電話機３が携帯電話機２の発信機能を利用して、固定電話網６からボタン電話機３に着信した呼を携帯電話機２経由で携帯電話網７に転送する場合の動作例を示している。
【００２１】
携帯電話機２は、定期的に、自携帯電話機２に付与されたＩＤの指定を含むビーコン信号を送信している。ボタン電話機３は、このビーコン信号の受信電波強度に基づいて、自ボタン電話機３とローカル接続可能な携帯電話機２を検出している。
【００２２】
さて、ボタン電話機３は、ローカル接続先の携帯電話機２の指定を伴う機能一覧取得操作を操作者から受け付けると（Ｓ１００）、指定された携帯電話機２とローカル接続する（Ｓ１０１）。そして、ローカル接続された携帯電話機２に機能一覧問合せを送信する（Ｓ１０２）。
【００２３】
携帯電話機２は、ローカル接続されたボタン電話機３からの機能一覧問合せを受信すると、自携帯電話機２がボタン電話機３に提供可能な機能一覧を通知する（Ｓ１０３）。ボタン電話機３は、ローカル接続された携帯電話機２から機能一覧を受け取って表示するとともに、この機能一覧に示された各機能を、自ボタン電話機３が備える各機能ボタンに割り付ける（Ｓ１０４）。
【００２４】
つぎに、固定電話網６から主装置４に着信したものとする（Ｓ１０５）。これを受けて、主装置４はボタン電話機３を呼び出す（Ｓ１０６）。ここで、ボタン電話機３が操作者から応答操作を受け付けたものとする（Ｓ１０７）。これを受けて、ボタン電話機３は主装置４に応答を送信する（Ｓ１０８）。そして、主装置４は固定電話網６に応答を送信する（Ｓ１０９）。これにより、主装置４を介して、ボタン電話機３と固定電話網６との間に通話路が確立される（Ｓ１１０）。
【００２５】
つぎに、ボタン電話機３において、ローカル接続された携帯電話機２から受け取った機能一覧に含まれている機能「転送」に割り付けられた機能ボタンが操作され、転送先の電話番号が入力されることにより、ボタン電話機３が、操作者から携帯転送操作を受け付けたものとする（Ｓ１１１）。これを受けて、ボタン電話機３は、固定電話網６との通話路に保留音を送出して（Ｓ１１２）、固定電話網６の通話相手との通話を保留する。また、ローカル接続された携帯電話機２に、転送先の電話番号の指定を伴う携帯転送要求を送信する（Ｓ１１３）。
【００２６】
これを受けて、携帯電話機２は、ローカル接続されたボタン電話機３からの携帯転送要求で指定されている転送先の電話番号を発信先番号として携帯電話網７に発信する（Ｓ１１４）。そして、携帯電話網７から応答を受信して（Ｓ１１５）、この応答を、ローカル接続されたボタン電話機３に送信する（Ｓ１１６）。これにより、携帯電話機２を介して、ボタン電話機３と携帯電話網７との間に通話路が確立される（Ｓ１１７）。
【００２７】
つぎに、ボタン電話機３は、操作者より転送実行操作を受け付けると（Ｓ１１８）、ボタン電話機３と固定電話網６との間に確立された通話路と、ボタン電話機３と携帯電話網７との間に確立された通話路と、を中継する（Ｓ１１９）。これにより、ボタン電話システム１および携帯電話機２を介して、固定電話網６側の通話相手と携帯電話網７側の通話相手との通話が可能となる。
【００２８】
図３は、本実施の形態に係る電話システムの第２の動作例を説明するためのシーケンス図である。このシーケンスでは、携帯電話機２がボタン電話システム１の発信機能を利用して、携帯電話網７から携帯電話機２に着信した呼をボタン電話システム１経由で固定電話網６に転送する場合の動作例を示している。
【００２９】
ボタン電話機３は、定期的に、自ボタン電話機３に付与されたＩＤの指定を含むビーコン信号を送信している。携帯電話機２は、このビーコン信号の受信電波強度に基づいて、自携帯電話機２とローカル接続可能なボタン電話機３を検出している。
【００３０】
さて、携帯電話機２は、ローカル接続先のボタン電話機３の指定を伴う機能一覧取得操作を操作者から受け付けると（Ｓ１３０）、指定されたボタン電話機３とローカル接続する（Ｓ１３１）。そして、ローカル接続されたボタン電話機３に機能一覧問合せを送信する（Ｓ１３２）。
【００３１】
ボタン電話機３は、ローカル接続された携帯電話機２から機能一覧問合せを受信すると、自ボタン電話機３が携帯電話機２に提供可能な機能一覧を通知する（Ｓ１３３）。携帯電話機２は、ローカル接続されたボタン電話機３から機能一覧を受け取って表示する（Ｓ１３４）。
【００３２】
つぎに、携帯電話網７から携帯電話機２に着信したものとする（Ｓ１３５）。携帯電話機２は、操作者から応答操作を受け付けると（Ｓ１３６）、携帯電話網７に応答を送信する（Ｓ１３７）。これにより、携帯電話機２と携帯電話網７との間に通話路が確立される（Ｓ１３８）。
【００３３】
つぎに、携帯電話機２において、ローカル接続されたボタン電話機３から受け取った表示中の機能一覧のなかから機能「転送」が選択され、転送先の電話番号が入力されることにより、携帯電話機２が操作者から固定転送操作を受け付けたものとする（Ｓ１３９）。これを受けて、携帯電話機２は、携帯電話網７との通話路に保留音を送出して（Ｓ１４０）、携帯電話網７の通話相手との通話を保留する。また、ローカル接続されたボタン電話機３に、転送先の電話番号の指定を伴う固定転送要求を送信する（Ｓ１４１）。
【００３４】
これを受けて、ボタン電話機３は、ローカル接続された携帯電話機２からの固定転送要求で指定されている転送先の電話番号を発信先番号として主装置４に発信する（Ｓ１４２）。主装置４は、この発信を固定電話網６に送信する（Ｓ１４３）。その後、主装置４は、固定電話網６からの応答を受信して（Ｓ１４４）、この応答をボタン電話機３に送信する（Ｓ１４５）。ボタン電話機３は、主装置４からの応答を受信して、この応答を、ローカル接続された携帯電話機２に送信する（Ｓ１４６）。これにより、ボタン電話システム１を介して、携帯電話機２と固定電話網６との間に通話路が確立される（Ｓ１４７）。
【００３５】
つぎに、携帯電話機２は、操作者より転送実行操作を受け付けると（Ｓ１４８）、携帯電話機２と携帯電話網７との間に確立された通話路と、携帯電話機２と固定電話網６との間に確立された通話路と、を中継する（Ｓ１４９）。これにより、ボタン電話システム１および携帯電話機２を介して、固定電話網６側の通話相手と携帯電話網７側の通話相手との通話が可能となる。
【００３６】
図４は、本実施の形態に係る電話システムの第３の動作例を説明するためのシーケンス図である。このシーケンスでは、ボタン電話機３が携帯電話機２の発信機能を利用して発信する場合の動作例を示している。
【００３７】
携帯電話機２は、定期的に、自携帯電話機２に付与されたＩＤの指定を含むビーコン信号を送信している。ボタン電話機３は、このビーコン信号の受信電波強度に基づいて、自ボタン電話機３とローカル接続可能な携帯電話機２を検出している。
【００３８】
さて、ボタン電話機３は、発信先の電話番号の指定を伴う外線発信操作を操作者から受け付けると（Ｓ１６０）、主装置４に外線捕捉要求を送信する（Ｓ１６１）。ここで、主装置４に収容されているすべての外線が使用中であり、空き外線がないものとする（Ｓ１６２）。これを受けて、主装置４は、外線捕捉要求の送信元であるボタン電話機３にビジーを送信する（Ｓ１６３）。
【００３９】
ボタン電話機３は、外線捕捉要求に対するビジーを主装置４から受信したならば、携帯電話機２の発信機能を利用する所定のイベントが発生したと判断する。そして、例えば、携帯電話機２のビーコン信号の受信電波強度に基づいて、自ボタン電話機３とローカル接続可能な携帯電話機２のなかから一台の携帯電話機２−１を選択し、この携帯電話機２−１とローカル接続する（Ｓ１６４）。それから、ボタン電話機３は、ローカル接続された携帯電話機２−１に、発信機能の指定を伴う提供可否問合せを送信する（Ｓ１６５）。
【００４０】
携帯電話機２−１は、ローカル接続されたボタン電話機３から提供可否問合せを受信すると、問合わせされた発信機能を自携帯電話機２−１が提供可能か否かを示す提供可否をボタン電話機３に通知する。ここでは、携帯電話機２−１が発信機能を提供不可能であり、ボタン電話機３に提供可否「不可」が通知されたとする（Ｓ１６６）。
【００４１】
ボタン電話機３は、ローカル接続した携帯電話機２−１が発信機能を提供不可能であることを確認すると、この携帯電話機２−１とのローカル接続を切断する（Ｓ１６７）。それから、ボタン電話機３は、例えば、携帯電話機２のビーコン信号の受信電波強度に基づいて、自ボタン電話機３とローカル接続可能な携帯電話機２のなかから未選択の携帯電話機２−２を選択し、この携帯電話機２−２とローカル接続する（Ｓ１６８）。それから、ボタン電話機３は、ローカル接続された携帯電話機２−２に、発信機能の指定を伴う提供可否問合せを送信する（Ｓ１６９）。
【００４２】
携帯電話機２−２は、ローカル接続されたボタン電話機３から提供可否問合せを受信すると、問合わせされた発信機能を自携帯電話機２−２が提供可能か否かを示す提供可否をボタン電話機３に通知する。ここでは、携帯電話機２−２が発信機能を提供可能であり、ボタン電話機３に提供可否「可」が通知されたとする（Ｓ１７０）。
【００４３】
ボタン電話機３は、携帯電話機２−２が発信機能を提供可能であることを確認すると、この携帯電話機２−２に、発信先の電話番号の指定を伴う携帯発信要求を送信する（Ｓ１７１）。これを受けて、携帯電話機２−２は、携帯発信要求で指定されている発信先の電話番号を発信先番号として携帯電話網７に発信する（Ｓ１７２）。そして、携帯電話網７からの応答を受信して（Ｓ１７３）、この応答を、ローカル接続されたボタン電話機３に送信する（Ｓ１７４）。これにより、携帯電話機２−２を介して、ボタン電話機３と携帯電話網７との間に通話路が確立される（Ｓ１７５）。
【００４４】
その後、ボタン電話機３は、操作者から終話操作を受け付けると（Ｓ１７６）、ローカル接続された携帯電話機２−２に切断要求を送信する（Ｓ１７７）。これを受けて、携帯電話機２−２は、携帯電話網７に切断要求を送信して（Ｓ１７８）、携帯電話網７との間に確立された通話路を切断する。それから、ボタン電話機３は、携帯電話機２−２とのローカル接続を切断する（Ｓ１７９）。
【００４５】
図５は、本実施の形態に係る電話システムの第４の動作例を説明するためのシーケンス図である。このシーケンスでは、携帯電話機２がボタン電話システム１の音声案内機能を利用して通話相手に音声案内を出力する場合の動作例を示している。
【００４６】
ボタン電話機３は、定期的に、自ボタン電話機３に付与されたＩＤの指定を含むビーコン信号を送信している。携帯電話機２は、このビーコン信号の受信電波強度に基づいて、自携帯電話機２とローカル接続可能なボタン電話機３を検出している。
【００４７】
さて、携帯電話機２は、携帯電話網７から着信を受信し（Ｓ１９０）、自携帯電話機２が不在設定されていることを確認すると、ボタン電話システム１の音声案内機能を利用する所定のイベントが発生したと判断する。そして、例えば、ボタン電話機３のビーコン信号の受信電波強度に基づいて、自携帯電話機２とローカル接続可能なボタン電話機３のなかから一台のボタン電話機３−２を選択し、このボタン電話機３−２とローカル接続する（Ｓ１９１）。それから、携帯電話機２は、ローカル接続されたボタン電話機３−２に、音声案内機能の指定を伴う提供可否問合せを送信する（Ｓ１９２）。
【００４８】
ボタン電話機３−２は、ローカル接続された携帯電話機２から提供可否問合せを受信すると、問合わせされた音声案内機能を自ボタン電話機３−２が提供可能か否かを示す提供可否を携帯電話機２に通知する。ここでは、ボタン電話機３−２が音声案内機能を提供不可能であり、携帯電話機２に提供可否「不可」が通知されたとする（Ｓ１９３）。
【００４９】
携帯電話機２は、ボタン電話機３−２が音声案内機能を提供不可能であると確認すると、このボタン電話機３−２とのローカル接続を切断する（Ｓ１９４）。それから、携帯電話機２は、例えば、ボタン電話機３のビーコン信号の受信電波強度に基づいて、自携帯電話機２とローカル接続可能なボタン電話機３のなかから未選択のボタン電話機３−１を選択し、このボタン電話機３−１とローカル接続する（Ｓ１９５）。それから、携帯電話機２は、ローカル接続されたボタン電話機３−１に、音声案内機能の指定を伴う提供可否問合せを送信する（Ｓ１９６）。
【００５０】
ボタン電話機３−１は、ローカル接続された携帯電話機２から提供可否問合せを受信すると、問合わせされた音声案内機能を自ボタン電話機３−１が提供可能か否かを示す提供可否を携帯電話機２に通知する。ここでは、ボタン電話機３−１が音声案内機能を提供可能であり、携帯電話機２に提供可否「可」が通知されたとする（Ｓ１９７）。
【００５１】
携帯電話機２は、ボタン電話機３−１が音声案内機能を提供可能であると確認すると、このボタン電話機３−１に音声案内要求を送信する（Ｓ１９８）、これを受けて、ボタン電話機３−１は主装置４に音声案内要求を送信する（Ｓ１９９）。主装置４は、ボタン電話機３−１からの音声案内要求を受信すると、ボタン電話機３−１に応答を送信する（Ｓ２００）。ボタン電話機３−１は、この応答を携帯電話機２に送信する（Ｓ２０１）。そして、携帯電話機２は、この応答を携帯電話網７に送信する（Ｓ２０２）。これにより、携帯電話機２およびボタン電話機３−１を介して、携帯電話網７と主装置４との間に通話路が確立される（Ｓ２０３）。それから、主装置４は、確立された通話路に音声案内を送出する（Ｓ２０４）。これにより、携帯電話網７側の通話相手に音声案内が送出される。
【００５２】
その後、携帯電話機２は、携帯電話網７から切断要求を受信すると（Ｓ２０５）ローカル接続されたボタン電話機３−１に、この切断要求を送信する（Ｓ２０６）。ボタン電話機３−１は、携帯電話機２から受け取った切断要求を主装置４に送信する（Ｓ２０７）。これを受けて、主装置４はボタン電話機３−１に応答を送信する（Ｓ２０８）。ボタン電話機３−１は、この応答を携帯電話機２に送信する（Ｓ２０９）。そして、携帯電話機２は、この応答を携帯電話網７に送信する（Ｓ２１０）。これにより、携帯電話機２およびボタン電話機３−１を介して、携帯電話網７と主装置４との間に確立された通話路が切断される。それから、携帯電話機２は、ボタン電話機３−１のローカル接続を切断する（Ｓ２１１）。
【００５３】
図６は、本実施の形態に係る電話システムの第５の動作例を説明するためのシーケンス図である。このシーケンスでは、ボタン電話機３が携帯電話機２の電話帳機能を利用する場合の動作例を示している。
【００５４】
携帯電話機２は、定期的に、自携帯電話機２に付与されたＩＤの指定を含むビーコン信号を送信し、ボタン電話機３は、このビーコン信号の受信電波強度に基づいて、自ボタン電話機３とローカル接続可能な携帯電話機２を検出している。
【００５５】
さて、ボタン電話機３は、操作者から電話帳取得操作を受け付けると（Ｓ２３０）、携帯電話機２の電話帳機能を利用する所定のイベントが発生したと判断する。そして、例えば、携帯電話機２のビーコン信号の受信電波強度に基づいて、自ボタン電話機３とローカル接続可能な携帯電話機２のなかから一台の携帯電話機２を選択し、この携帯電話機２とローカル接続する（Ｓ２３１）。それから、ボタン電話機３は、ローカル接続された携帯電話機２に、電話帳機能の指定を伴う提供可否問合せを送信する（Ｓ２３２）。
【００５６】
携帯電話機２は、ローカル接続されたボタン電話機３から提供可否問合せを受信すると、問合わせされた電話帳機能を自携帯電話機２が提供可能か否かを示す提供可否をボタン電話機３に通知する。ここでは、携帯電話機２が電話帳機能を提供可能であり、ボタン電話機３に提供可否「可」を通知されたとする（Ｓ２３３）。
【００５７】
ボタン電話機３は、ローカル接続された携帯電話機２が電話帳機能を提供可能であることを確認すると、この携帯電話機２に電話帳要求を送信する（Ｓ２３４）。これを受けて、携帯電話機２は、ローカル接続されたボタン電話機３に電話帳データを送信する（Ｓ２３５）。そして、ボタン電話機３は、ローカル接続された携帯電話機２から受信した電話帳データを表示する（Ｓ２３６）。
【００５８】
その後、ボタン電話機３は、所定時間（例えば５分）の経過によりタイムアウトしたならば（Ｓ２３７）、携帯電話機２とのローカル接続を切断する（Ｓ２３８）。
【００５９】
つぎに、本実施の形態に係る電話システムを構成する携帯電話機２およびボタン電話機３の詳細を説明する。なお、主装置４には既存の装置を用いることができるので、その詳細な説明を省略する。
【００６０】
まず、携帯電話機２について説明する。
【００６１】
図７は、携帯電話機２の概略機能構成図である。
【００６２】
図示するように、携帯電話機２は、マンマシンインターフェース部２０と、携帯電話網インターフェース部２１と、ボタン電話機インターフェース部２２と、電話帳記憶部２３と、提供可能機能記憶部２４と、問合せ部２５と、通知部２６と、機能要求部２７と、機能提供部２８と、主制御部２９と、を備えている。
【００６３】
マンマシンインターフェース部２０は、操作者に情報を表示したり、操作者から各種操作を受け付けたり、あるいは、操作者が電話をするためのインターフェースであり、マイク、スピーカ、タッチセンサ付き液晶パネル等を含む。
【００６４】
携帯電話網インターフェース部２１は、携帯電話網７と通信を行うためのインターフェースである。
【００６５】
ボタン電話機インターフェース部２２は、Ｂｌｕｅｔｏｏｔｈ（登録商標）等の近距離無線通信を用いてボタン電話機３と通信を行うためのインターフェースである。ボタン電話機インターフェース部２２は、定期的に、自携帯電話機２のＩＤを含むビーコン信号を送信する。また、ボタン電話機インターフェース部２２は、ボタン電話機３から定期的に送信されるビーコン信号の受信電波強度を検出する。
【００６６】
電話帳記憶部２３には、発着信に利用する電話帳データが記憶されている。
【００６７】
提供可能機能記憶部２４には、自携帯電話機２が有する機能のうち、ボタン電話機３に提供可能な機能に関する情報が記憶されている。図８は、提供可能機能記憶部２４の登録内容を模式的に表した図である。図示するように、提供可能機能記憶部２４には、ボタン電話機３に提供可能な機能に関するレコード２４０が記憶されている。レコード２４０は、このレコード２４０を識別するための機能ＩＤが登録されたフィールド２４１と、機能名が登録されたフィールド２４２と、を有する。
【００６８】
問合せ部２５は、ボタン電話機インターフェース部２２にローカル接続されたボタン電話機３に機能一覧問合せを送信して、このボタン電話機３が自携帯電話機２に提供可能な機能一覧を取得する。また、問合せ部２５は、ボタン電話機インターフェース部２２にローカル接続されたボタン電話機３に、機能の指定を伴う提供可否問合せを送信し、指定した機能の提供可否をこのボタン電話機３から取得する。
【００６９】
通知部２６は、ボタン電話機インターフェース部２２にローカル接続されたボタン電話機３からの機能一覧問合せに応じて、自携帯電話機２がボタン電話機３に提供可能な機能一覧（提供可能機能記憶部２４に記憶されている機能名のリスト）をボタン電話機３に送信する。また、通知部２６は、ボタン電話機インターフェース部２２にローカル接続されたボタン電話機３からの提供可否問合せに応じて、この問合せで指定されている機能の提供可否（この機能の機能名が提供可能機能記憶部２４に記憶されているか否か）をボタン電話機３に送信する。
【００７０】
機能要求部２７は、ボタン電話機インターフェース部２２にローカル接続されたボタン電話機３に、このボタン電話機３が自携帯電話機２に提供可能な機能の提供を要求する機能要求を送信する。
【００７１】
機能提供部２８は、ボタン電話機インターフェース部２２にローカル接続されたボタン電話機３から受信した機能要求に従い、自携帯電話機２がボタン電話機３に提供可能な機能のなかから要求された機能を実施して、その機能をボタン電話機３に提供する。
【００７２】
そして、主制御部２９は、自携帯電話機２の各部２０〜２８を統括的に制御する。
【００７３】
図９は、携帯電話機２がボタン電話機３から機能一覧を取得して機能の提供を受ける場合の動作フローを説明するための図である。
【００７４】
主制御部２９は、マンマシンインターフェース部２０を介して操作者から機能一覧取得操作を受け付けると（Ｓ３００でＹＥＳ）、問合せ部２５に機能一覧問合せを指示する。これを受けて、問合せ部２５は、ボタン電話機インターフェース部２２におけるビーコン信号の受信電波強度の検出結果に基づいて、ローカル接続可能なボタン電話機３が存在するか否かを判断する（Ｓ３０１）。そして、その判断結果を主制御部２９に通知する。
【００７５】
主制御部２９は、ローカル接続可能なボタン電話機３が存在しない旨の判断結果を問合せ部２５から受け取った場合（Ｓ３０１でＮＯ）、その旨のメッセージをマンマシンインターフェース部２０から出力させるなどの所定のエラー処理を実施して（Ｓ３０２）、Ｓ３００に戻る。一方、主制御部２９は、ローカル接続可能なボタン電話機３が存在する旨の判断結果を問合せ部２５から受け取った場合（Ｓ３０１でＹＥＳ）、ローカル接続可能なボタン電話機３の一覧をマンマシンインターフェース部２０に表示して、操作者から接続先のボタン電話機３の指定を受け付ける。そして、指定されたボタン電話機３にボタン電話機インターフェース部２２をローカル接続させる（Ｓ３０３）。
【００７６】
つぎに、問合せ部２５は、ボタン電話機インターフェース部２２にローカル接続されたボタン電話機３に機能一覧問合せを送信して、このボタン電話機３から、このボタン電話機３が自携帯電話機２に提供可能な機能一覧を取得する（Ｓ３０４）。そして、取得した機能一覧を主制御部２９に渡す。これを受けて、主制御部２９は、この機能一覧をマンマシンインターフェース部２０に表示する（Ｓ３０５）。
【００７７】
つぎに、主制御部２９は、マンマシンインターフェース部２０に表示した機能一覧のなかから、提供を要求する機能の指定を伴う機能要求操作を操作者より受け付けると（Ｓ３０６でＹＥＳ）、この機能要求操作において指定された機能および必要に応じて入力された情報（例えば電話番号情報）を機能要求部２７に通知する。これを受けて、機能要求部２７は、ボタン電話機インターフェース部２２にローカル接続されたボタン電話機３に、機能要求操作において指定された機能および必要に応じて入力された情報を含む機能要求を送信して、このボタン電話機３からこの機能の提供を受ける（Ｓ３０７）。
【００７８】
その後、主制御部２９は、マンマシンインターフェース部２０を介して操作者から終話操作等のローカル接続切断操作を受け付けたならば（Ｓ３０８でＹＥＳ）、ボタン電話機インターフェース部２２を制御して、ボタン電話機３とのローカル接続を切断する（Ｓ３０９）。それから、Ｓ３００に戻る。
【００７９】
図１０は、携帯電話機２がボタン電話機３から機能の提供可否を取得して機能の提供を受ける場合の動作フローを説明するための図である。
【００８０】
主制御部２９は、自携帯電話機２が不在設定されている、操作者から電話帳取得操作を受け付けた等、ボタン電話機３の機能の提供を必要とする所定のイベントが発生したことを検出すると（Ｓ３２０でＹＥＳ）、問合せ部２５に、必要とする機能を通知して提供可否問合せを指示する。これを受けて、問合せ部２５は、ボタン電話機インターフェース部２２におけるビーコン信号の受信電波強度の検出結果に基づいて、ローカル接続可能なボタン電話機３が存在するか否かを判断する（Ｓ３２１）。そして、その判断結果を主制御部２９に通知する。
【００８１】
主制御部２９は、ローカル接続可能なボタン電話機３が存在しない旨の判断結果を問合せ部２５から受け取った場合（Ｓ３２１でＮＯ）、その旨のメッセージをマンマシンインターフェース部２０から出力させるなどの所定のエラー処理を実施して（Ｓ３２２）、Ｓ３２０に戻る。一方、主制御部２９は、ローカル接続可能なボタン電話機３が存在する旨の判断結果を問合せ部２５から受け取った場合（Ｓ３２１でＹＥＳ）、ローカル接続可能なボタン電話機３のなかに未選択のボタン電話機３が存在していれば、このボタン電話機３を接続先として選択する。そして、接続先として選択したボタン電話機３にボタン電話機インターフェース部２２をローカル接続させる（Ｓ３２３）。なお、未選択のボタン電話機３が存在していない場合には、その旨のメッセージをマンマシンインターフェース部２０から出力させるなどの所定のエラー処理を実施して、Ｓ３２０に戻る。
【００８２】
つぎに、問合せ部２５は、ボタン電話機インターフェース部２２にローカル接続されたボタン電話機３に、主制御部２９より受け取った機能の指定を伴う提供可否問合せを送信し、この機能の提供可否をこのボタン電話機３から取得する（Ｓ３２４）。そして、取得した提供可否を主制御部２９に渡す。
【００８３】
つぎに、主制御部２９は、問合せ部２５から受け取った提供可否が提供「不可」を示しているならば（Ｓ３２５でＮＯ）、ボタン電話機インターフェース部２２を制御して、接続先のボタン電話機３とのローカル接続を切断する。それから、Ｓ３２３に戻る。一方、問合せ部２５から受け取った提供可否が提供「可」を示しているならば（Ｓ３２５でＹＥＳ）、提供可能とされた機能を、必要な情報（例えば、所定のイベント発生時に入力された電話番号情報）とともに機能要求部２７に通知する。これを受けて、機能要求部２７は、ボタン電話機インターフェース部２２にローカル接続されたボタン電話機３に、主制御部２９から通知された機能および必要な情報を含む機能要求を送信し、このボタン電話機３からこの機能の提供を受ける（Ｓ３２６）。
【００８４】
その後、主制御部２９は、マンマシンインターフェース部２０を介して操作者から終話操作等のローカル接続切断操作を受け付けたか（Ｓ３２７でＹＥＳ）、あるいは、ボタン電話機３から機能を受領した後、所定時間（例えば５分）の経過によりタイムアウトしたならば（Ｓ３２８でＹＥＳ）、ボタン電話機インターフェース部２２を制御して、接続先のボタン電話機３とのローカル接続を切断する（Ｓ３２９）。それから、Ｓ３２０に戻る。
【００８５】
図１１は、携帯電話機２がボタン電話機３に機能を提供する場合の動作フローを説明するための図である。
【００８６】
まず、ボタン電話機インターフェース部２２は、ボタン電話機３がローカル接続されると（Ｓ３４０でＹＥＳ）、このボタン電話機３からの問合せを受信して（Ｓ３４１）、通知部２６に渡す。
【００８７】
ここで、通知部２６は、ボタン電話機インターフェース部２２から受け取った問合せが機能一覧問合せならば（Ｓ３４１で「機能一覧」）、主制御部２９に機能一覧の取得を要求する。これを受けて、主制御部２９は、すべてのフィールド２４２に登録されている機能名のリストを提供可能機能記憶部２４から取得し、自携帯電話機２がボタン電話機３に提供可能な機能一覧としてこれを通知部２６に渡す。通知部２６は、この機能一覧を、ボタン電話機インターフェース部２２にローカル接続されたボタン電話機３に送信する（Ｓ３４２）。
【００８８】
一方、通知部２６は、ボタン電話機インターフェース部２２から受け取った問合せが提供可否問合せならば（Ｓ３４１で「提供可否」）、この提供可否で指定されている機能の提供可否判断を主制御部２９に要求する。これを受けて、主制御部２９は、指定された機能の機能名が提供可能機能記憶部２４に記憶されているか否かに基づき、この機能の提供可否を判断し、その判断結果を通知部２６に渡す。通知部２６は、主制御部２９から受け取った判断結果を、機能の提供可否として、ボタン電話機インターフェース部２２にローカル接続されたボタン電話機３に送信する（Ｓ３４３）。
【００８９】
つぎに、機能提供部２８は、ボタン電話機インターフェース部２２にローカル接続されたボタン電話機３から機能要求を受信すると（Ｓ３４４でＹＥＳ）、この機能要求で指定されている機能を主制御部２９に通知する。主制御部２９は、機能提供部２８から受け取った機能の機能名が提供可能機能記憶部２４に記憶されていることを確認し、機能提供部２８にその機能の実施を指示する。これを受けて、機能提供部２８は、主制御部２９と連携して、機能要求で指定されている機能を、必要に応じてこの機能要求に含まれている情報を用いて実施する。そして、ボタン電話機インターフェース部２２にローカル接続されたボタン電話機３に、この機能を提供する（Ｓ３４５）。例えば、ボタン電話機３から受信した機能要求が電話帳要求であれば、機能提供部２８は、主制御部２９と連携して、電話帳記憶部２３から電話帳データを読み出し、この電話帳データをボタン電話機３に提供する。
【００９０】
その後、主制御部２９は、ボタン電話機インターフェース部２２におけるボタン電話機３とのローカル接続が切断されたならば（Ｓ３４６でＹＥＳ）、Ｓ３４０に戻る。
【００９１】
つぎに、ボタン電話機３について説明する。
【００９２】
図１２は、ボタン電話機３の概略機能構成図である。
【００９３】
図示するように、ボタン電話機３は、マンマシンインターフェース部３０と、内線ネットワークインターフェース部３１と、携帯電話機インターフェース部３２と、電話帳記憶部３３と、提供可能機能記憶部３４と、問合せ部３５と、通知部３６と、機能要求部３７と、機能提供部３８と、主制御部３９と、を備えている。
【００９４】
マンマシンインターフェース部３０は、操作者に情報を表示したり、操作者から各種操作を受け付けたり、あるいは、操作者が電話をするためのインターフェースであり、ハンドセットと、ダイヤルキー、機能ボタン等の入力装置と、液晶パネル等の表示装置と、を含む。
【００９５】
内線ネットワークインターフェース部３１は、内線ネットワーク５を介して主装置４および他のボタン電話機３と通信を行うためのインターフェースである。
【００９６】
携帯電話機インターフェース部３２は、Ｂｌｕｅｔｏｏｔｈ（登録商標）等の近距離無線通信を用いて携帯電話機２と通信を行うためのインターフェースである。携帯電話機インターフェース部３２は、定期的に、自ボタン電話機３のＩＤを含むビーコン信号を送信する。また、携帯電話機インターフェース部３２は、携帯電話機２から定期的に送信されるビーコン信号の受信電波強度を検出する。
【００９７】
電話帳記憶部３３には、発着信に利用する電話帳データが記憶されている。
【００９８】
提供可能機能記憶部３４には、自ボタン電話機３が有する機能のうち、携帯電話機２に提供可能な機能に関する情報が記憶されている。図１３は、提供可能機能記憶部３４の登録内容を模式的に表した図である。図示するように、提供可能機能記憶部３４には、携帯電話機２に提供可能な機能に関するレコード３４０が記憶されている。レコード３４０は、このレコード３４０を識別するための機能ＩＤが登録されたフィールド３４１と、機能名が登録されたフィールド３４２と、機能をボタン電話機３単独で提供可能かそれとも主装置４と連携して提供可能かを示す提供種別が登録されたフィールド３４３と、を有する。
【００９９】
問合せ部３５は、携帯電話機インターフェース部３２にローカル接続された携帯電話機２に機能一覧問合せを送信して、この携帯電話機２が自ボタン電話機３に提供可能な機能の機能一覧を取得する。また、問合せ部３５は、携帯電話機インターフェース部３２にローカル接続された携帯電話機２に、機能の指定を伴う提供可否問合せを送信して、指定された機能の提供可否を取得する。
【０１００】
通知部３６は、携帯電話機インターフェース部３２にローカル接続された携帯電話機２から受信した機能一覧問合せに応じて自ボタン電話機３が携帯電話機２に提供可能な機能一覧（提供可能機能記憶部３４に記憶されている機能名のリスト）を携帯電話機２に送信する。また、通知部３６は、携帯電話機インターフェース部３２にローカル接続された携帯電話機２から受信した提供可否問合せに応じて、この問合せで指定されている機能の提供可否（この機能の機能名が提供可能機能記憶部３４に記憶されているか否か）を携帯電話機２に送信する。
【０１０１】
機能要求部３７は、携帯電話機インターフェース部３２にローカル接続された携帯電話機２に、この携帯電話機２が自ボタン電話機３に提供可能な機能を要求する機能要求を送信する。
【０１０２】
機能提供部３８は、携帯電話機インターフェース部３２にローカル接続された携帯電話機２から受信した機能要求に従い、自ボタン電話機３が携帯電話機２に提供可能な機能のなかから要求された機能を実施して、その機能を携帯電話機２に提供する。
【０１０３】
そして、主制御部３９は、自ボタン電話機３の各部３０〜３８を統括的に制御する。
【０１０４】
図１４は、ボタン電話機３が携帯電話機２から機能一覧を取得して機能の提供を受ける場合の動作フローを説明するための図である。
【０１０５】
主制御部３９は、マンマシンインターフェース部３０を介して操作者から機能一覧取得操作を受け付けると（Ｓ４００でＹＥＳ）、問合せ部３５に機能一覧問合せを指示する。これを受けて、問合せ部３５は、携帯電話機インターフェース部３２におけるビーコン信号の受信電波強度の検出結果に基づいて、ローカル接続可能な携帯電話機２が存在するか否かを判断する（Ｓ４０１）。そして、その判断結果を主制御部３９に通知する。
【０１０６】
主制御部３９は、ローカル接続可能な携帯電話機２が存在しない旨の判断結果を問合せ部３５から受け取った場合（Ｓ４０１でＮＯ）、その旨のメッセージをマンマシンインターフェース部３０から出力させるなどの所定のエラー処理を実施して（Ｓ４０２）、Ｓ４００に戻る。一方、主制御部３９は、ローカル接続可能な携帯電話機２が存在する旨の判断結果を問合せ部３５から受け取った場合（Ｓ４０１でＹＥＳ）、ローカル接続可能な携帯電話機２の一覧をマンマシンインターフェース部３０に表示して、操作者から接続先の携帯電話機２の指定を受け付ける。そして、指定された携帯電話機２に携帯電話機インターフェース部３２をローカル接続させる（Ｓ４０３）。
【０１０７】
つぎに、問合せ部３５は、携帯電話機インターフェース部３２にローカル接続された携帯電話機２に機能一覧問合せを送信して、この携帯電話機２から、この携帯電話機２が自ボタン電話機３に提供可能な機能一覧を取得する（Ｓ４０４）。そして、取得した機能一覧を主制御部３９に渡す。これを受けて、主制御部３９は、この機能一覧をマンマシンインターフェース部３０に表示して、この機能一覧に示された各機能をマンマシンインターフェース部３０の各機能ボタンに割り付ける（Ｓ４０５）。
【０１０８】
つぎに、主制御部３９は、機能一覧に含まれるいずれかの機能が割り付けられた機能ボタンの押下を伴う機能要求操作を操作者より受け付けると（Ｓ４０６でＹＥＳ）、この機能ボタンに割り付けられた機能および必要に応じて入力された情報（例えば電話番号情報）を機能要求部３７に通知する。これを受けて、機能要求部３７は、携帯電話機インターフェース部３２にローカル接続された携帯電話機２に、押下された機能ボタンに割り付けられた機能および必要に応じて入力された情報を含む機能要求を送信して、この携帯電話機２からこの機能の提供を受ける（Ｓ４０７）。
【０１０９】
その後、主制御部３９は、マンマシンインターフェース部３０を介して操作者から終話操作等のローカル接続切断操作を受け付けたならば（Ｓ４０８でＹＥＳ）、携帯電話機インターフェース部３２を制御して、携帯電話機２とのローカル接続を切断する（Ｓ４０９）。それから、Ｓ４００に戻る。
【０１１０】
図１５は、ボタン電話機３が携帯電話機２から機能の提供可否を取得して機能の提供を受ける場合の動作フローを説明するための図である。
【０１１１】
主制御部３９は、主装置４が外線捕捉要求に対してビジーを返信した、操作者から電話帳取得操作を受け付けた等、携帯電話機２の機能の提供を必要とする所定のイベントが発生したことを検出すると（Ｓ４２０でＹＥＳ）、問合せ部３５に、必要とする機能を通知して提供可否問合せを指示する。これを受けて、問合せ部３５は、携帯電話機インターフェース部３２におけるビーコン信号の受信電波強度の検出結果に基づいて、ローカル接続可能な携帯電話機２が存在するか否かを判断する（Ｓ４２１）。そして、その判断結果を主制御部３９に通知する。
【０１１２】
主制御部３９は、ローカル接続可能な携帯電話機２が存在しない旨の判断結果を問合せ部３５から受け取た場合（Ｓ４２１でＮＯ）、その旨のメッセージをマンマシンインターフェース部３０から出力させるなどの所定のエラー処理を実施して（Ｓ４２２）、Ｓ４２０に戻る。一方、主制御部３９は、ローカル接続可能な携帯電話機２が存在する旨の判断結果を問合せ部３５から受け取った場合（Ｓ４２１でＹＥＳ）、ローカル接続可能な携帯電話機２のなかに未選択の携帯電話機２が存在していれば、その携帯電話機２を接続先として選択する。そして、接続先として選択した携帯電話機２に携帯電話機インターフェース部３２をローカル接続させる（Ｓ４２３）。なお、未選択の携帯電話機２が存在していない場合には、その旨のメッセージをマンマシンインターフェース部３０から出力させるなどの所定のエラー処理を実施して、Ｓ４２０に戻る。
【０１１３】
つぎに、問合せ部３５は、携帯電話機インターフェース部３２にローカル接続された携帯電話機２に、主制御部３９より受け取った機能の指定を伴う提供可否問合せを送信し、この機能の提供可否をこの携帯電話機２から取得する（Ｓ４２４）。そして、取得した提供可否を主制御部３９に渡す。
【０１１４】
つぎに、主制御部３９は、問合せ部３５から受け取った提供可否が提供「不可」を示しているならば（Ｓ４２５でＮＯ）、携帯電話機インターフェース部３２を制御して、接続先の携帯電話機２とのローカル接続を切断する。それから、Ｓ４２３に戻る。一方、問合せ部３５から受け取った提供可否が提供「可」を示しているならば（Ｓ４２５でＹＥＳ）、提供可能とされた機能を、必要な情報（例えば、所定のイベント発生時に入力された電話番号情報）とともに機能要求部３７に通知する。これを受けて、機能要求部３７は、携帯電話機インターフェース部３２にローカル接続された携帯電話機２に、主制御部３９から通知された機能および情報を含む機能要求を送信して、この携帯電話機２からこの機能の提供を受ける（Ｓ４２６）。
【０１１５】
その後、主制御部３９は、マンマシンインターフェース部３０を介して操作者から終話操作等のローカル接続切断操作を受け付けたか（Ｓ４２７でＹＥＳ）、あるいは、携帯電話機２から機能を受領した後、所定時間（例えば５分）の経過によりタイムアウトしたならば（Ｓ４２８でＹＥＳ）、携帯電話機インターフェース部３２を制御して、携帯電話機２とのローカル接続を切断する（Ｓ４２９）。それから、Ｓ４２０に戻る。
【０１１６】
図１６は、ボタン電話機３が携帯電話機２に機能を提供する場合の動作フローを説明するための図である。
【０１１７】
まず、携帯電話機インターフェース部３２は、携帯電話機２がローカル接続されると（Ｓ４４０でＹＥＳ）、この携帯電話機２からの問合せを受信して（Ｓ４４１）、通知部３６に渡す。
【０１１８】
ここで、通知部３６は、携帯電話機インターフェース部３２から受け取った問合せが機能一覧問合せならば（Ｓ４４１で「機能一覧」）、主制御部３９に機能一覧の取得を要求する。これを受けて、主制御部３９は、すべてのフィールド３４２に登録されている機能名のリストを提供可能機能記憶部３４から取得し、自ボタン電話機３が携帯電話機２に提供可能な機能一覧として、これを通知部３６に渡す。通知部３６は、携帯電話機インターフェース部３２にローカル接続された携帯電話機２に、この機能一覧を送信する（Ｓ４４２）。
【０１１９】
一方、通知部３６は、携帯電話機インターフェース部３２から受け取った問合せが提供可否問合せならば（Ｓ４４１で「提供可否」）、この提供可否で指定されている機能の提供可否判断を主制御部３９に要求する。これを受けて、主制御部３９は、指定された機能の機能名が提供可能機能記憶部３４に記憶されているか否かに基づき、この機能の提供可否を判断し、その判断結果を通知部３６に渡す。通知部３６は、主制御部３９から受け取った判断結果を、機能の提供可否として、携帯電話機インターフェース部３２にローカル接続された携帯電話機２に送信する（Ｓ４４３）。
【０１２０】
つぎに、機能提供部３８は、携帯電話機インターフェース部３２にローカル接続された携帯電話機２から機能要求を受信すると（Ｓ４４４でＹＥＳ）、この機能要求で指定されている機能を主制御部３９に渡す。主制御部３９は、機能提供部３８から受け取った機能の機能名が提供可能機能記憶部３４に記憶されていることを確認し、機能提供部３８に実施を指示する。これを受けて、機能提供部３８は、機能要求で指定されている機能を実施する。ここで、機能要求で指定されている機能の機能名に対応付けられて提供可能機能記憶部３４に記憶されている提供種別が「ボタン電話機単独」である場合、主制御部３９と連携して、この機能を、必要に応じてこの機能要求に含まれている情報を用いて実施する。例えば、携帯電話機２から受信した機能要求が電話帳要求であれば、機能提供部３８は、主制御部３９と連携して、携帯電話機２に提供する電話帳データを電話帳記憶部３３から、読み出す。また、機能要求で指定されている機能の機能名に対応付けられて提供可能機能記憶部３４に記憶されている提供種別が「主装置連携」である場合、主制御部３９と連携し、この機能要求を、必要に応じてこの機能要求に含まれている情報とともに、内線ネットワークインターフェース部３１から主装置４に送信する。これにより、主装置４に、機能要求で指定されている機能を実施させる。例えば、携帯電話機２から受信した機能要求が、固定転送要求、音声案内要求であれば、機能提供部３８は、主制御部３９および主装置４と連携して、機能提供に必要な通話路を確立する。そして、携帯電話機インターフェース部３２にローカル接続された携帯電話機２にこの機能を提供する（Ｓ４４５）。
【０１２１】
その後、主制御部３９は、携帯電話機インターフェース部３２における携帯電話機２とのローカル接続が切断されたならば（Ｓ４４６でＹＥＳ）、Ｓ４４０に戻る。
【０１２２】
以上、本発明の一実施の形態を説明した。
【０１２３】
本実施の形態において、携帯電話機２は、ボタン電話機３から機能一覧問合せを受けた場合、自携帯電話機２が提供可能な機能の一覧をボタン電話機３に通知する。あるいは、ボタン電話機３から機能の指定を含む提供可否問合せを受けた場合、この提供可否問合せで指定された機能の提供可否をボタン電話機３に通知する。それから、ボタン電話機３から機能要求を受け付けて、要求された機能を提供する。また、携帯電話機２は、ボタン電話機３に機能一覧問合せを通知して、ボタン電話機３が提供可能な機能の一覧を取得する。あるいは、機能の指定を含む提供可否問合せをボタン電話機３に通知して、この機能の提供可否をボタン電話機３から受け取る。それから、ボタン電話機３に、このボタン電話機３が提供可能な機能の機能要求を送信して、このボタン電話機３から機能の提供を受ける。したがって、本実施の形態に係る携帯電話機２によれば、ボタン電話機３と互いの機能を相互に利用することができる。
【０１２４】
また、本実施の形態において、ボタン電話機３は、携帯電話機２から機能一覧問合せを受けた場合、自ボタン電話機３が提供可能な機能の一覧を通知する。あるいは、機能の指定を含む提供可否問合せを携帯電話機２から受けた場合、この提供可否問合せで指定された機能の提供可否を通知する。それから、携帯電話機２から機能要求を受け付けて、要求された機能を提供する。また、ボタン電話機３は、携帯電話機２に機能一覧問合せを通知して、携帯電話機２が提供可能な機能の一覧を取得する。あるいは、機能の指定を含む提供可否問合せを携帯電話機２に通知して、この機能の提供可否を受け取る。それから、携帯電話機２に、この携帯電話機２が提供可能な機能の機能要求を送信して、この携帯電話機２から機能の提供を受ける。したがって、本実施の形態に係るボタン電話機３によれば、携帯電話機２と互いの機能を相互に利用することができる。
【０１２５】
また、本実施の形態において、ボタン電話機３は、携帯電話機２から取得した機能一覧に示された各機能をマンマシンインターフェース部３０の各機能ボタンにそれぞれ割り付ける。このため、操作者は、ボタン電話機３において、携帯電話機２の機能を簡単な操作で起動させることができる。
【０１２６】
また、携帯電話機２においても同様に、ボタン電話機３から取得した機能一覧に示された各機能をマンマシンインターフェース部２０を構成するタッチセンサ付き液晶パネル上の機能ボタンに割り付ける、もしくは機能ボタンとして配置することで、ボタン電話機３の機能を簡単な操作で起動させることができる。
【０１２７】
また、本実施の形態において、携帯電話機２は、ローカル接続されたボタン電話機３から受け付けた提供可否問合せに対する提供可否が「不可」である場合、ローカル接続するボタン電話機３を切り替えて、新たなボタン電話機３に提供可否問合せを通知し、新たなボタン電話機３から提供可否を取得する。したがって、本実施の形態に係る携帯電話機２によれば、ボタン電話機３の機能をより確実に利用することが可能となる。
【０１２８】
同様に、ボタン電話機３は、ローカル接続された携帯電話機２から受け付けた提供可否問合せに対する提供可否が「不可」である場合、ローカル接続する携帯電話機２を切り替えて、新たな携帯電話機２に提供可否問合せを通知し、新たな携帯電話機２から提供可否を取得する。したがって、本実施の形態に係るボタン電話機３によれば、携帯電話機２の機能をより確実に利用することが可能となる。
【０１２９】
なお、本発明は上記の実施の形態に限定されるものではなく、その要旨の範囲内で数々の変形が可能である。
【０１３０】
例えば、上記の実施の形態において、図７に示す携帯電話機２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、Ｂｌｕｅｔｏｏｔｈ（登録商標）アダプタ等の通信機を備えたタブレットＰＣ（Ｐｅｒｓｏｎａｌ  Ｃｏｍｐｕｔｅｒ）、スマートホン等の携帯端末において、ＣＰＵが所定のプログラムを補助記憶装置からメモリ上にロードして実行することで実現されるものでもよい。
【０１３１】
同様に、図１２に示すボタン電話機３の機能構成も、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、ＨＤＤ、ＤＶＤ−ＲＯＭ等の補助記憶装置、およびＢｌｕｅｔｏｏｔｈ（登録商標）アダプタ等の通信機を備えたＰＣ等の汎用コンピュータにおいて、ＣＰＵが所定のプログラムを補助記憶装置からメモリ上にロードして実行することで実現されるものでもよい。
【０１３２】
また、上記の実施の形態では、携帯電話機２およびボタン電話機３間で互いの機能を相互に利用する場合を例にとり説明したが、本発明はこれに限定されない。本発明は、電話機間で互いの機能を相互に利用する場合に広く適用可能である。
【符号の説明】
【０１３３】
１：ボタン電話システム、  ２、２−１、２−２、・・・２−ｎ：携帯電話機、  ３、３−１、・・・３−ｍ：ボタン電話機、  ４：主装置、  ５：内線ネットワーク、  ６：固定電話網、  ７：携帯電話網、  ２０、３０：マンマシンインターフェース部、  ２１：携帯電話網インターフェース部、  ２２：ボタン電話機インターフェース部、  ２３、３３：電話帳記憶部、  ２４、３４：提供可能機能記憶部、  ２５、３５：問合せ部、  ２６、３６：通知部、  ２７、３７：機能要求部、  ２８、３８：機能提供部、  ２９、３９：主制御部、  ３１：内線ネットワークインターフェース部、  ３２：携帯電話機インターフェース部
【図１】
2017152874.tif 000003
【図２】
2017152874.tif 000004
【図３】
2017152874.tif 000005
【図４】
2017152874.tif 000006
【図５】
2017152874.tif 000007
【図６】
2017152874.tif 000008
【図７】
2017152874.tif 000009
【図８】
2017152874.tif 000010
【図９】
2017152874.tif 000011
【図１０】
2017152874.tif 000012
【図１１】
2017152874.tif 000013
【図１２】
2017152874.tif 000014
【図１３】
2017152874.tif 000015
【図１４】
2017152874.tif 000016
【図１５】
2017152874.tif 000017
【図１６】
2017152874.tif 000018